(57)【要約】      （修正有）【課題】潤滑ブッシュの交換を容易に行えるようにすることによって、集塵装置の運転率を向上させるという利点を有する電気集塵機を提供する。【解決手段】集塵極に捕集されたミストまたは粉塵を掻き落とすため駆動装置によって連動することができるよう対称に並んで備えられ、ブラシと一体化された主軸と、上記主軸が円滑に回転することができるよう軸結合された潤滑ブッシュ70が備わり、電気集塵機にボルト締結が容易に行えるよう装着フランジとボルト孔が両側に対称に備えられたハウジング80と、上記潤滑ブッシュの一方に離脱防止のため主軸に軸結合されたカラー90で形成された電気式集塵機に関する。上記潤滑ブッシュとハウジングは、交換が容易に行えるよう垂直中心を基準として半円対称形に分離される。【選択図】図３
2020069451.tif 000002
【特許請求の範囲】
【請求項１】
駆動装置によって連動することができるよう等間隔で多数備えられ、中心に軸結合された主軸の両端に対称に備えられた上部ホイールと、上記上部ホイールに対向する下側に備えられた下部ホイールと、上記上部・下部ホイールに滑車方式により結合されたチェーンに等間隔で多数備えられた集塵極で形成され；
上記集塵極に捕集されたミストまたは粉塵を掻き落とすため駆動装置によって連動することができるよう対称に並んで設けられたブラシが一体となって備えられたブラシユニットと、上記ブラシユニットが円滑に回転することができるよう軸結合された潤滑ブッシュが備えられ、電気集塵機にボルト締結が容易に行なえるよう装着フランジとボルト孔が左右対称に備えられたハウジングと、上記潤滑ブッシュの一方に、離脱防止のため主軸に軸結合されたカラーで構成される電気式集塵機において、
上記潤滑ブッシュとハウジングは、
垂直中心を基準とし半円対称形に分離されて設置されることを特徴とする電気集塵機。
【発明の詳細な説明】
【技術分野】
【０００１】
本発明は、電気集塵機に関するものであり、より詳細には、ブラシと一体化された主軸と軸結合された潤滑ブッシュ、ハウジング、カラーの解体が容易に行えるよう半円型に分離された電気集塵機に関するものである。
【背景技術】
【０００２】
一般的に、電気集塵極（50）に捕集した埃を掻き落とすため両側に対称的にブラシ（61）が配置された電気集塵機（1）については、様々なものがある。
【０００３】
例を挙げると、図１に示した電気集塵機（1）（以下、”集塵機”という）がその代表的なものであり、その内容は次の通りである。
【０００４】
図に示した通り、従来の集塵機（1）は、駆動装置（10）、主軸（20）、上部・下部ホイール（30）（40）、集塵極（50）、ブラシユニット（60）に大別される。
【０００５】
駆動装置（10）は、駆動モーター（11）、従動ギア（13）、 連結部材（14）で構成され、駆動モーター（11）にはギヤードモーター（Geared  Motor）として減速ギアが内部に一体となって設けられ、先端の出力軸（図示せず）には駆動ギア（15）が設けられている。
【０００６】
この駆動ギア（15）は、上記従動ギア（13）、チェーン（Chain）またはベルト（Belt）のうちどれかひとつで構成される連結部材（14）により連動する。
【０００７】
この従動ギア（13）は、図に示した通り、中心線上に中心を同じくした二列で形成され、等間隔に多数配置されており、それぞれ異なる位置に配置された従動ギア（13）と並列に連結することができる。
【０００８】
このように、従動ギア（13）は主軸（20）の一端に軸結合され、この従動ギア（13）の一方と上記主軸（20）の他端に上部ホイール（30）が対称に軸結合される。
【０００９】
上部ホイール（30）と下部ホイール（40）は、互いに対向する位置である上下方向に形成されたチェーンスプロケット（Chain Sprocket）であり、チェーン（35）が滑車方式により連結され連動する。
【００１０】
下部ホイール（40）にはチェーンスプロケット（Chain Sprocket）を適用してもよいが、ドラムを適用しても問題ない。
【００１１】
このチェーン（35）に等間隔に集塵極（50）が連続して設置されているが、集塵極（50）とは、電気集塵機における電極の一方のことであり、放電極（55）により電荷が与えられた集塵装置内の粉塵やミストが付着する。
【００１２】
集塵極（50）の形態には平板型、管型などがあるが、一般的に工業用として使用されている電気集塵装置の場合、集塵極がプラス極となっており、こちらが接地される。（ネイバー知識百科集塵極〔dust  collecting  electrode,集塵極〕（環境工学用語辞典、1996.4.、ソンアンタン出版社より抜粋）。
【００１３】
このように、集塵極（50）の表面から粉塵やミストを掻き落とすため、ブラシ（61）が一体となって形成されるブラシユニット（60）が設けられている。
【００１４】
ブラシユニット（60）は、上記集塵極（50）が通過することができるよう二列に並んで設けられており、このブラシユニット（BS）の両端を支持するハウジング（80）を含む。
【００１５】
上記ブラシユニット（60）を駆動する駆動装置（10）は、上記駆動装置（10）と同一の構成で形成されているので、別途の説明は省略する。
【００１６】
ブラシユニット（60）は長さ方向に螺旋形にブラシ（61）が一体となって形成された構成であり、集塵極の厚さにより後述するブラシ（61）の間隔調節が容易に行えるよう中間にユニバーサルジョイント（Universal  Joint）（63）が設けられることもある。
【００１７】
ハウジング（80）は、本体（80a）と潤滑ブッシュ（70）とカラー（90）を含む。
【００１８】
本体（80a）は図に示した通りの外形であり、左右対称型で集塵機フレーム（FR）にボルトによる締結が容易に行えるよう装着フランジ（81）にボルト孔（81a）が備えられ、中心部に後述する潤滑ブッシュ（70）の挿入が容易に行えるようブッシュ安着溝（82）が設けられている。
【００１９】
このブッシュ安着溝（82）に潤滑ブッシュ（70）が設けられているが、この潤滑ブッシュ（70）は周知のオイルレスベアリング（Oilless  Bearing）であり、高温または低温の腐食性雰囲気、異物流入、衝撃荷重及び振動、構造上給油が不可能な地点及び給油が困難でありまたは給油をしても効果がない場所に適用するベアリングで、主に銅材質である。
【００２０】
カラー（90）は金属材質（SS400）であり、上記の潤滑ブッシュ（70）の離脱防止のためブラシユニット（60）に溶接装着される。
【００２１】
したがって、上記集塵極（50）が上部・下部ホイール（30）（40）の回転によって二列に設けられたブラシ（61）の間を通過し、粉塵またはミストが除去されることとなる。
【００２２】
しかし、上記ブラシユニット（60）の回転中にカラー（90）と密着した潤滑ブッシュ（70）の一端が摩耗しやすく（"A"表示部位）、寿命が短くなるという致命的な問題を抱えている。
【００２３】
また、上記潤滑ブッシュ（70）の摩耗によりカラー（90）とハウジング（80）の間に間隙が発生することによって、ブラシユニット（60）の回転中の騒音及び振動がひどくなるという問題があった。
【００２４】
さらに、潤滑ブッシュ（70）を交換するためにはユニバーサルジョイント（63）を解体した状態で一方に取り出さなければならないため、メンテナンスが難しく、交換作業に多くの時間を要し、装置の運転率を低下させるという致命的な欠陥を抱えている。
【００２５】
また、カラーが溶接装着されたブラシユニット溶接部には、応力集中と熱変形により真直度（Straightness）が低下し、回転時の激しい振動によって潤滑ブッシュの摩耗を促進するという問題もあった。
【発明の概要】
【発明が解決しようとする課題】
【００２６】
本発明は、上記の通り、従来の問題点を解決するため発明されたものであり、本発明の目的はカラーと密着した潤滑ブッシュの摩耗を防ぐことであり、騒音及び振動の原因を根本的に除去することである。
【００２７】
また、本発明の他の目的は、潤滑ブッシュの交換を容易に行えるようにすることであり、集塵装置の運転率を向上させることにある。
【００２８】
また、本発明の更なる目的は、ブラシが一体となった主軸の真直度を維持し、静粛な回転運転を実現することである。
【課題を解決するための手段】
【００２９】
このような目的からなる本発明は、
駆動装置により連動することができるよう等間隔に多数設けられ、中心に軸結合された主軸の両端に対称に備えられた上部ホイールと、上記上部ホイールに対向する下側に備えられた下部ホイールと、上記上部・下部ホイールに滑車方式により結合されたチェーンに等間隔に多数備えられた集塵極でなり；
上記集塵極に捕集されたミストまたは粉塵を掻き落とすため駆動装置により連動することができるよう対称に並んで備えられ、ブラシが一体となって設けられた主軸と、上記主軸が円滑に回転することができるよう軸結合された潤滑ブッシュが備えられ、電気集塵機にボルト締結が容易に行えるよう装着フランジとボルト孔が左右対称に設けられたハウジングと、上記潤滑ブッシュの一方に離脱防止のため主軸と軸結合されたカラーで構成される電気式集塵機に関するものであり、
上記潤滑ブッシュとハウジングは、
交換が容易に行えるよう垂直中心を基準として半円対称形に分離されていることを特徴とする。
【００３０】
また、上記ハウジングの装着フランジに形成されるボルト孔は、長穴であることを特徴とする。
【００３１】
また、上記ハウジングは、分離された面接部にそれぞれ形成される凸部と安着溝をさらに含む。
【００３２】
また、上記面接部は、左右対称型に延長されるフランジと、上記フランジの直角方向に貫通したボルト孔をさらに含む。
【００３３】
また、上記潤滑ブッシュは、自己潤滑性エンジニアリングプラスチックまたはフェノール樹脂のどちらかで形成されることを特徴とする。
【発明の効果】
【００３４】
以上で詳細に説明した通り、本発明による電気集塵機によれば、カラーと密着した潤滑ブッシュの摩耗を防ぐことによって騒音及び振動の原因を根本的に除去する効果がある。
【００３５】
また、潤滑ブッシュの交換が容易に行えることによって、集塵装置の運転率を向上させる効果がある。
【００３６】
また、ブラシと一体となって設けられた主軸の真直度を維持し、静粛な回転運転を実現する効果がある。
【図面の簡単な説明】
【００３７】
【図１】電気集塵機を示した斜視図である。
【図２ａ】図1の"A"−"A"線で示した断面図である。
【図２ｂ】図2aの"B"−"B"線で示した断面図である。
【図３】本発明による電気集塵機の構成中分離しているハウジングと潤滑ブッシュとカラーの構成を抜粋し示した図である。
【図４】本発明による電気集塵機の構成中分離しているハウジングと潤滑ブッシュとカラーの構成を抜粋し示した図である。
【図５】本発明による電気集塵機の構成中潤滑ブッシュを交換する作業を説明するために示した参考図である。
【発明を実施するための形態】
【００３８】
図1と図3と図4の通り、本発明による電気集塵機（1）は駆動装置（10）と主軸（20）と上部ホイール（30）と下部ホイール（40）と集塵極（50）、ブラシ（61）と一体となって設けられたブラシユニット（60）、潤滑ブッシュ（70）、ハウジング（80）、カラー（90）を備えている。
【００３９】
本発明の実施においては、半円型に分離した潤滑ブッシュ（70）とハウジング（80）、カラー（90）の一部構成を除けば従来のものと実質的に同一であるため、同一の構成要素についての詳細な説明は省略する（図3と図4に示していない構成については図1を参照）。
【００４０】
そして、従来の構成と同一の構成については、同一名称をつけて説明するが、便宜上符号のみ別途説明する。
【００４１】
図3と図4に示した通り、潤滑ブッシュ（70）とハウジング（80）、カラー（90）は、垂直中心を基準として半円対称型に分離され、上記潤滑ブッシュ（70）は後述する作用で別途潤滑油を注入する必要がないようエンジニアリングプラスチックまたはフェノール樹脂のどちらかを適用しても構わない。
【００４２】
合成樹脂の成分表及び組成物の役割を了知しておかなければならない。
【００４３】
ハウジング（80）は、図に示していない電気集塵機にボルト締結が容易に行なえるよう分離された、左右対称に設けられた末端に装着フランジ（81）が形成され、この装着フランジ（81）にボルトの貫通が容易に行なえるよう形成されるボルト孔（81a）は長穴に形成することが望ましい。
【００４４】
ボルト孔（81a）を長穴に形成する理由は、後述する作業方法でブラシユニット（60）に軸結合されている潤滑ブッシュ（70）の着脱が容易なよう一方または他方への移動が容易に行なえるようにするためである。
【００４５】
また、ハウジング（80）は、分離された面接部（83）に凸部（83a）と安着溝（83b）がそれぞれ形成され、面接し結合する際に結束力が向上する。
【００４６】
また、この面接部（83）は、左右対称に延長させフランジ（85）を形成し、このフランジ（85）の直角方向に貫通したボルト孔（87）を備え、ボルト締結によってさらに強固な結合状態を維持することができる。
【００４７】
さらに、図に示した通り、カラー（90）も半円形に分離され、溶接結合時に発生するおそれのある主軸（60）の変形を未然に防ぐためボルト締結部（91）がさらに形成される。
【００４８】
ボルト締結部（91）は、ボルト（レンチボルト）の貫通が容易に行なえるよう一方の側にボルト孔（91a）が形成され、このボルト孔（91a）の一方の側にボルトの頭部分が備えられるよう安着溝（91b）が設けられている。
【００４９】
これについては、もう一方の側には当該ボルトと合うようタップ（91c）を形成し、ボルトにより強固にブラシユニット（60）に軸結合することができるようにした。
【００５０】
続いて、図5を参照し本発明による電気集塵機（1）の潤滑ブッシュ（70）を交換する方法について説明する。
【００５１】
まず、カラー（90）のボルト締結部（91）のボルトを若干緩めた後、一方の側に押して潤滑ブッシュ（70）の解体が容易に行なえるようにする。
【００５２】
次に、ハウジング（80）の左右に対称に備えられた長穴のボルト孔（81a）を貫通したボルトを若干緩め、同様にハウジング（80）の結合を緩めた状態で外側に広げるように押し、潤滑ブッシュ（70）の分離が容易に行なえるようにした後、半円形の古い潤滑ブッシュ（70）も両側に広げて取り出し、新しい潤滑ブッシュ（70）をハウジング（80）の両側に対称に備える。
【００５３】
この後は、上記作業の逆の順序で、両側に広げたハウジング（80）を内側に寄せた後、長穴のボルト孔（81a）に備えられたボルトを固く締めた後、一方の側に押し、カラー（90）も元の位置の潤滑ブッシュ（70）と面接し支持されるよう備え、緩く閉めたボルトを締結すれば交換作業が完了する。
【００５４】
以上で詳細に説明した通り、本発明による電気集塵機（1）により、カラー（90）と密着した潤滑ブッシュ（70）が耐摩耗性を備え鉄の強度を超える材質で形成されるようにし、摩耗しにくくすることによって、騒音及び振動の原因を根本的に除去し、潤滑ブッシュ（70）の交換作業が容易に行なえるようにすることによって、電気集塵機（1）の運転率を向上させることができた。
【００５５】
さらに、カラー（90）を溶接結合ではなくボルト結合し、熱変形による真直度不良の原因を根本的に防止することによって、ブラシ（61）が一体となって備えられたブラシユニット（60）の真直度を維持し静粛な回転運転を実現した。
【００５６】
本発明は上記の特定の望ましい実施例に限らず、請求範囲において請求する本発明の要旨を逸脱しない、当該発明が属する技術分野において、通常の知識を有する者であれば誰でも容易に変形実施が可能であることは勿論であり、そのような変更は請求項記載の範囲内にあるものである。
【符号の説明】
【００５７】
１      電気集塵機
１０    駆動装置
２０    主軸
３０    上部ホイール
４０    下部ホイール
５０    集塵極
６０    ブラシユニット
６１    ブラシ
７０    潤滑ブッシュ
８０    ハウジング
８１    装着フランジ
８１ａ  ボルト孔
８３    面接部
８３ａ  凸部
８３ｂ  安着溝
８５    フランジ
８７    ボルト孔
９０    カラー
【図１】
2020069451.tif 000003
【図２ａ】
2020069451.tif 000004
【図２ｂ】
2020069451.tif 000005
【図３】
2020069451.tif 000006
【図４】
2020069451.tif 000007
【図５】
2020069451.tif 000008